(57)【要約】【課題】部材同士をダボで連結してなる木製家具において、美観の悪化を招来することなく連結強度を向上させる。【解決手段】例えば、机において、前後の脚杆４と下ビーム体６とが上下２本の下部ダボ１９で連結されている。このため、下ビーム体６はねじれに強い状態に連結されている。下ビーム体６の前後両端部に張り出し部２１を形成して、張り出し部２１に挿通してビス２０を脚杆４にねじ込んでいる。ビス２０はダボ１９からある程度離れた状態で脚杆４にねじ込まれるため、高い強度を確保できる。ビス２０は視認されず、張り出し部２１も目立たず違和感はないため、美観の悪化も生じない。【選択図】図４
2016214692.tif 000002
【特許請求の範囲】
【請求項１】
鉛直方向に長い２本の脚杆の相互間を、当該両脚杆の相対向した内側面に当接した略水平姿勢のビーム材によって連結しており、前記両脚杆とビーム材とは、ダボとビスとで固定されている構成であって、
前記ビーム材のうち前記両脚杆に当接した端部に、下向き又は上向き若しくは上下両向に突出した張り出し部を設け、前記張り出し部から、前記ビスが、前記脚杆のうち前記ダボよりも前記張り出し部の張り出し方向の外側位置に向けてねじ込まれている、
机。
【請求項２】
前記張り出し部の下面は、前記ビーム材の下面又は上面に対して屈曲したような傾斜面になっており、このため、前記張り出し部は略三角形状の形態になっている、
請求項１に記載した机。
【請求項３】
前記張り出し部の傾斜面に、前記ビスの頭が隠れる座繰り穴はこれに連通したビス挿通穴とを、それの軸線が脚杆から離れるほどビーム材との間隔が広がるように傾斜した姿勢で空けている、
請求項２に記載した机。
【請求項４】
前後左右４本の木製の脚杆を有しており、前後一対の脚杆がそれぞれ木製の前記ビーム材で連結されている、
請求項１〜３のうちのいずれかに記載した机。
【請求項５】
前記ビーム材の端部に張り出し部が下向きに形成されている、
請求項１〜４のうちのいずれかに記載した机。
【請求項６】
略直交した姿勢に配置された２つの木製部材を備えており、両部材は、一方の部材の一端面を他方の部材の外周面に当接させた状態でダボによって連結している構成であって、
前記一方の部材のうち他方の部材に当接した端部に、前記他方の部材に当接した状態で一方の部材の外周外側に突出した張り出し部を設け、前記張り出し部に挿通したビスを前記他方の部材にねじ込んでいる、
木製家具。
【発明の詳細な説明】
【技術分野】
【０００１】
本願発明は、鉛直状の脚杆を水平状のビーム材で連結して成る机、及び、木製家具に関するものである。机を除く家具としてとは、テーブル、椅子、カウンターなどが挙げられる（但し、机とテーブルは明確に区分し難い場合もある。）。
【背景技術】
【０００２】
机は天板を左右の脚で支持した構造になっているが、脚は様々な形態・構造がある。木製の机の場合は、幅広の１枚の板で構成して、下端に前後長手の接地部材を設けたものや、特許文献１に開示されているように、前後左右４本の脚杆を備えたものなどがある。特許文献１では、前後の脚杆の下端部が前後長手のビーム材で連結されており、ビーム材と脚杆とは、その下面に重なった接地体に上向き姿勢のビスで固定されている。
【先行技術文献】
【特許文献】
【０００３】
【特許文献１】特開２００８−３０１９７３号公報
【発明の概要】
【発明が解決しようとする課題】
【０００４】
さて、木製家具では、組み立ての容易性や美観の点から、部材同士の連結（接合）にダボ（木製ピン）が使用されていることが多い。すなわち、２つの部材の当接面に、相対向して開口したダボ穴を空けて、これらのダボ穴にダボを強制的に嵌め込むものであり、連結強度を高めるためにダボに接着剤を塗布することも行われている。
【０００５】
そして、特許文献１の脚は接地体を備えているが、主としてデザイン上の要請により、接地体を設けずに、脚杆を床に接地させて、前後の脚杆を下端よりも上（床面よりも上）の位置にいてビーム材で連結することがある。この場合、脚杆とビーム材とが木製の場合は、上記のとおりダボを使用して連結しているが、前後の脚杆を間隔を広げるような外力がかかると、ダボが抜けるおそれがあった。
【０００６】
この点に対する対策の一つとして、脚杆とビーム材とをビスで連結することが考えられるが、脚杆に貫通させたビスをビーム材にねじ込んだ場合は、ビスの頭が脚杆の外側に露出して美観が悪化するという問題がある。さりとて、ビスの頭を座繰り穴に隠して、座繰り穴を木製プラグで塞ぐと、構造が複雑化してコストが嵩むのみならず、プラグの端面が露出するため、多少の違和感が残ることは否めない。
【０００７】
また、ビス止め方法としては、ビスをビーム材に傾斜姿勢で挿通して脚杆にねじ込む斜め打ちも考えられるが、この斜め打ちの方法では、ビスがダボに当たるおそれがあり、高い締結強度を確保し難い問題がある。
【０００８】
他の対策として、Ｌ形の金具を使用して、これを脚杆の内面とビーム材の下面とにビスで固定するという方法が考えられる。しかし、この方法は部材管理やねじ作業に手間がかかるのみならず、金具の垂直片がビーム材の下方に露出するため、美観を害しやすいという問題がある。特に、金具は金属の質感があって木製の脚杆やビーム材に対して違和感があるため、美観の問題から金具は使用を敬遠される傾向が高い。
【０００９】
本願発明は、このような現状を改善すべく成されたものである。
【課題を解決するための手段】
【００１０】
本願発明は多くの構成を含んでおり、その例を各請求項で特定している。このうち請求項１の発明は机に関すもので、この机は、鉛直方向に長い２本の脚杆の相互間を、当該両脚杆の相対向した内側面に当接した略水平姿勢のビーム材によって連結しており、前記両脚杆とビーム材とは、ダボとビスとで固定されている構成において、前記ビーム材のうち前記両脚杆に当接した端部に、下向き又は上向き若しくは上下両向に突出した張り出し部を設け、前記張り出し部から、前記ビスが、前記脚杆のうち前記ダボよりも前記張り出し部の張り出し方向の外側位置に向けてねじ込まれている。
【００１１】
請求項１の発明は様々に具体化できる。その例を請求項２以下で特定している。このうち請求項２の発明では、前記張り出し部の下面は、前記ビーム材の下面又は上面に対して屈曲したような傾斜面になっており、このため、前記張り出し部は略三角形状の形態になっている。
【００１２】
更に、請求項２の好適な具体例として、請求項３の発明では、前記張り出し部の傾斜面に、前記ビスの頭が隠れる座繰り穴はこれに連通したビス挿通穴とを、それの軸線が脚杆から離れるほどビーム材との間隔が広がるように傾斜した姿勢で空けている。
【００１３】
請求項４の発明は、請求項１〜３のうちのいずれかにおいて、前後左右４本の木製の脚杆を有しており、前後一対の脚杆がそれぞれ木製の前記ビーム材で連結されている。なお、請求項４の発明は、左右の前脚杆同士をビーム材で連結することや、左右の後ろ脚杆同士をビーム材で連結することを排除するものではない。すなわち、少なくとも前後の脚杆同士がビーム材で連結されていたらよい。請求項５の発明は、請求項１〜４のうちのいずれかにおいて、前記ビーム材の端部に張り出し部が下向きに形成されている。
【００１４】
本願発明の脚杆は、板状や棒状、或いはパイプ状など、様々な形態を採用できる。棒状やパイプ状の場合、平断面形状は角形や円など任意の形状を選択できる。ビーム材についても、板状や棒状やパイプ状など、様々の態様を採用できる。敢えて述べるまでもないが、ビーム材は上下に複数本配置されていてもよい。机では、左右の後ろ脚杆を幕板で連結することも広く行われているが、本願発明では、後ろ幕板もビーム材に相当し得る。
【００１５】
請求項５の発明は、略直交した姿勢に配置された２つの木製部材を備えており、両部材は、一方の部材の一端面を他方の部材の外周面に当接させた状態でダボによって連結している構成の家具において、前記一方の部材のうち他方の部材に当接した端部に、前記他方の部材に当接した状態で一方の部材の外周外側に突出した張り出し部を設け、前記張り出し部に挿通したビスを前記他方の部材にねじ込んでいる。なお、木製家具とは、主として木製部材で構成されているということであり、金属製部材や樹脂製部材を排除するものではない。                                                                        
【発明の効果】
【００１６】
請求項１の発明では、ビーム材の端部に設けた設け張り出し部がビスで脚杆に締結されるため、高い連結強度を確保できる。そして、張り出し部はビーム材の一部を構成しているため、違和感はなくて美観の悪化は全く又は殆ど生じない。また、張り出し部を設けたことによってビスのねじ込み位置をダボから大きく離すことが容易に実現できるため、ダボとビスとの干渉を回避して高い締結強度を確保できる。また、構造が簡単であるためコスト面においても優れている。
【００１７】
請求項２のように張り出し部の下面をビーム材の下面に対して屈曲した形態にすると、ビーム材の下面と張り出し部の下面とが滑らかに連続するため、張り出し部は全く違和感がない。このため、美観の面で特に有益である。
【００１８】
更に、請求項３のように張り出し部に座繰り穴を設けると、ビスの頭が露出して人目に触れることを確実に防止できるため、美観の維持は一層確実になる。かつ、座繰り穴とビス挿通穴とが傾斜しているため、それら座繰り穴とビス挿通穴の加工は容易である（ドリルを掴持したチャックがビーム材に当たらない。）。
【００１９】
机では前後の脚杆をビーム材で連結していることが多いため、請求項４の構成を採用すると、多くの机に適用できて汎用性が高い。すなわち、請求項４の構成では、特に本願発明の真価が発揮される。また、請求項５の構成では、ビーム材の下面は人目に触れないため、美観の点で好ましい。
【００２０】
請求項６の発明は請求項１の発明を包含するものであり、請求項１と同様に、張り出し部からビスをねじ込むものであるため、ビスをダボと干渉しない状態に確実にねじ込むことができて、高い締結強度を確保できる。
【図面の簡単な説明】
【００２１】
【図１】第１実施形態に係る机の正面図である（引出しの前板は省略している。）。
【図２】（Ａ）は机の斜視図、（Ｂ）は（Ａ）のＢ−Ｂ視断面図である。
【図３】机の右端部の縦断正面図である。
【図４】（Ａ）は机の一部破断側面図、（Ｂ）は（Ａ）の要部拡大図である。
【図５】（Ａ）は机と収納装置とを連結した状態での斜視図、（Ｂ）は（Ａ）のＢ−Ｂ視断面図、（Ｃ）は連結金具の底面図である。
【図６】第２実施形態の一部破断側面図である。
【図７】第３実施形態を示す図で、（Ａ）は要部の斜視図、（Ｂ）は０一部破断平面図である。
【図８】第４実施形態を示す斜視図である。
【発明を実施するための形態】
【００２２】
(1).第１施形態の概要
次に、本願発明の実施形態を図面に基づいて説明する。まず、図１〜図５に示す第１実施形態を説明する。本実施形態は、児童用の木製学習机に適用している。
【００２３】
図１，２のとおり、この机は、左右横長の天板１と左右の脚２とを有しており、天板１の下面部に、左右一対の引出し３を前後動自在に配置している。左右の脚２は木板製であり、それぞれ、前後の細長い脚杆４と、その上部を連結した上ビーム材５と、前後脚杆４の下部を連結した下ビーム材６とで構成されている。脚杆４と上下ビーム材４，５とは、それぞれ厚さ方向が左右方向を向くように配置されている。脚杆４のうち上ビーム材５よりも下方の部分は、下に向けて前後幅が少しずつ小さくなっているが、全体をストレートに形成することも可能である。
【００２４】
左右脚２の後部は、後ろ幕板７で連結されている。引出し３の下方の空間には、キャスタ付きワゴン８やキャスタ無しの袖キャビネットを配置できる。図３に示すように、天板１の左右側部には、脚２の上部が外側から重なるサイド枠板９をビス（図示せず）で固定しており、このサイド枠板９に、鬼目ナット１０を介して脚２の上部が前後複数本（２本）のビス１１で固定されている。
【００２５】
また、左右のサイド枠板９は、その下面に重ねてビス１２で固定された補強桟板１３によって連結されている。引出し３は、サイド枠板９とセンター枠板１４（図１参照）とに、サスペンションレール１５を介して前後動自在に支持されている。センター枠板１４は補強桟板１３に立設している。
【００２６】
図４に示すように、上ビーム材５は前後の脚杆４で挟まれており、これら脚杆４と上ビーム材５とは、それらに跨がって貫通した上下複数本（４本）の上部ダボ１８で連結されている。他方、下ビーム体６も前後脚杆４で挟まれており、脚杆４と下ビーム体６とは、両者に貫通した下部ダボ１９によって連結されていると共に、下部に位置した上下２本のビス２０によっても連結されている。
【００２７】
下ビーム体６の前後両端部には、脚杆４の内面４ａと重なった状態で下向きに突出した張り出し部２１を形成しており、ビス２０は、張り出し部２１を貫通して脚杆４にねじ込まれている。この場合、張り出し部２１は側面視略三角形の形態であり、下面２１ａは下ビーム体６の下面６ａと滑らかに連続している。或いは、下ビーム体６の下面６ａと張り出し部２１の下面２１ａとが側面視で屈曲した形態になっている。このため、張り出し部２１が目立つことはなくて、違和感はない。
【００２８】
また、張り出し部２１には、ビス２０の軸が貫通すビス挿通穴２２と、ビス２０の頭が嵌まる座繰り穴２３とが連通した状態に形成されているが、これらのビス挿通穴２２と座繰り穴２３との軸線（軸心線）２４は、脚杆４から離れるに従って下ビーム体６との間隔が広がるように、下ビーム体６に対してある程度の角度θだけ傾斜している。このため、ビス挿通穴２２と座繰り穴２３との加工（ドリル加工、エンドミル加工）を、チャックが下ビーム体６に当たらない状態で容易に行える。
【００２９】
上下の下部ダボ１９の間隔は、できるだけ広げている。このため、下ビーム体６を軸心回りに捩じるような外力に対して高い抵抗を発揮する。つまり、上下の下部ダボ１９による位置決め機能が高い。また、下に位置した下部ダボ１９は、下ビーム体６の下面の延長線２５よりも上に位置しており、ビス２０はその全体が延長線５よりも下方に位置している。このため、ダボ１８とビス２０とのの間に必要な間隔を取ることができて、高い締結強度を確保できる。
【００３０】
なお、ビス２０は延長線２５の上方まで進入させてもよい。また、脚杆４には、ビス２０がねじ込まれる下穴を予め空けておくのが好ましい。更に、脚杆４に鬼目ナットを埋設しておいて、これにビス２０をねじ込むことも可能であり、この場合は、ビス２０はメートルねじが使用される。上ビーム材５に張り出し部２１を設けて、脚杆４にビス止めしてもよい。
【００３１】
本実施形態の机は、図５に示すように、収納装置２７と連結することができる。収納装置２７は、左右の外側板２８と背板２９，及び底板３０を備えており、内部は左右２枚の仕切板３１によって３つの収納エリア３２，３３，３４に分けられている。中央の収納エリア３３は、常時固定されたセンター上棚板３５を有する棚部になっており、左右の収納エリア３３，３５は、棚部と衣服収納部とに選択的に変更できる。
【００３２】
付け替え式の棚部は、サイド上棚板３６とその下方に位置した可動棚板とを有しており、衣服収納部は、ハンガーを吊り懸けできるハンギングバー３７を備えている。サイド上棚板３６は、外側板２８と仕切板３１とに金具（図示せず）を介して固定されている。また、センター上棚板３５とサイド上棚板３６とは机の天板１と同じ高さになっており、机から片方の脚２を取り外して、机と収納装置２７の上棚板３５，３６とがそれぞれＬ形の連結金具３８で連結される。取り外した脚２は、後ろ幕板７の後面に固定できる。
【００３３】
連結金具３８の垂直片は机のサイド枠板９に横向きビス３９で固定され、連結金具３８の水平片は、机の天板１及び収納装置２７の上棚板３５，３６に上向きビス４０で固定される。連結した状態で、天板１と上棚板３５，３６とが同一面を成しているので、天板１と上棚板３５，３６とは同じ厚さに設定されている。机に対する連結金具３８の取付けは、脚２をサイド枠板９に固定するための鬼目ナット１０を利用している。
【００３４】
(2).他の実施形態
次に、図６以下に示す他の実施形態を説明する。図６に示す第２実施形態は張り出し部２１の別例であり、この実施形態では、張り出し部２１は傾斜した段差面２１ｂを有しており、段差面２１ｂの個所に、ビス挿通穴２２は座繰り穴２３とを下ビーム体６の下面と平行な姿勢で形成している。加工上の問題がなければ、このような態様も採用できる。
【００３５】
図７に示す第３実施形態は、２本の脚杆４２を水平姿勢の板状ビーム材４３で連結するにおいて、張り出し部２１を水平方向に突設している。美観上の問題がなければ、このうよな態様も採用できる。脚杆４２とビーム材４３とは、ダボ（図示せず）によっても連結されている。
【００３６】
図８に示す第４実施形態は、例えば前後の脚杆４２をビーム材４３で連結し、左右のビーム材４３をステー４４で連結するにおいて、ステー４４の左右端部に後ろ向きの張り出し部２１を形成して、張り出し部２１から挿通したビスをビーム材４３にねじ込んでいる。張り出し部２１は後ろ向きに突出しているため、美観上の問題は生じない。
【００３７】
例えば天板を有する家具の場合、ビーム材やステーが天板の下面近くにあって、それらビーム材やステーを通常の状態では視認できない場合がある。このような場合は、張り出し部２１がどの方向に突出していても美観の問題はないので、強度向上のみを目的にして張り出し部２１を形成することができる。
【００３８】
本願発明は、上記の実施形態の他にも様々に具体化でき。例えば、適用対象は机やテーブルには限らず、学習机とセットで使用される児童用椅子のような木製椅子にも適用できる。椅子に適用する場合、左右の脚を連結するビーム材、又は、前後の脚２を連結するビーム材に張り出し部を形成したり、左右の脚に連結される背板に下向きの張り出し部を形成したりすることも可能である。
【産業上の利用可能性】
【００３９】
本願発明は、机等に具体化できる。従って、産業上利用できる。
【符号の説明】
【００４０】
１  天板
２  脚
４  脚杆
５  上ビーム材
６  下ビーム体
６ａ  下面
１９  下部ダボ
２０  ビス
２１  張り出し部
２１ａ  下面
２２  ビス挿通穴
２３  座繰り穴
２４  穴の軸心線
【図１】
2016214692.tif 000003
【図２】
2016214692.tif 000004
【図３】
2016214692.tif 000005
【図４】
2016214692.tif 000006
【図５】
2016214692.tif 000007
【図６】
2016214692.tif 000008
【図７】
2016214692.tif 000009
【図８】
2016214692.tif 000010